(57)【要約】【課題】簡単な構成を有し、低コスト化及び小型化を図りつつ、安全且つ確実に予備のメモリカードを携行することができるとともに、全てのメモリカードが破損するのを防ぐことができ、さらに省エネルギ化することができるとともに、長時間連続使用可能な電子機器を提供する。【解決手段】ケース１と、バッテリー３と、メモリカード４を着脱可能に装着するメモリカードスロット５と、メモリカード４が挿通される第１開口部５３と、第１開口部５３を開閉するメモリカードスロットカバー５１とを有し、内部に予備のメモリカード４１を格納するメモリカードケース部６と、予備のメモリカード４１が挿通される第２開口部６３と、第２開口部６３を覆うメモリカードケースカバー７とを有する電子機器Ａ。【選択図】図２
2007323287.tif 000002
【特許請求の範囲】
【請求項１】
ケースと、
前記ケース内部に備えられ電力を供給するためのバッテリーと、
前記ケースの内部に備えられた基板に実装され記録媒体であるメモリカードを着脱可能に装着するメモリカードスロットと、
前記ケースに形成され前記メモリカードスロットに前記メモリカードを着脱するときに該メモリカードが挿通される第１開口部と、
前記ケースに回動可能に取り付けられ前記第１開口部を開閉する平板状のメモリカードスロットカバーとを有し、データを前記メモリカードに記録する又は前記メモリカードより読み出す電子機器であって、
前記ケースの内部に形成され内部に複数個の予備のメモリカードを格納するメモリカードケース部と、
前記ケースに形成され前記メモリカードケース部に格納される又は前記メモリカードケース部より排出される前記予備のメモリカードが挿通される第２開口部と、
前記ケースの角部に取り付けられ、前記第２開口部を開閉可能に覆うメモリカードケースカバーとを有しており、
前記メモリカードケース部は前記予備のメモリカードをその厚さ方向に重ねて格納するものであり、前記予備のメモリカードが摺動することで前記第２開口部を挿通することができる第１領域と、前記第１領域と連続して形成され前記予備のメモリカードが厚み方向に積み重ねられて格納される第２領域と、前記第２領域に配置され前記予備のメモリカードを前記第１領域に向けて押す弾性部材とを有しており、
前記メモリカードケースカバーは長尺の矩形状に形成された第１平板部と、前記第１平板部の一方の長辺と連結し前記第２開口部を開閉させる第２平板部と、前記第１平板部の他方の長辺に備えられた摩擦部材と、中心軸が前記第１平板部の長手方向と平行になるように前記第１平板部の他方の長辺の近傍に備えられた回転軸とを有しており、
前記メモリカードケースカバーは前記回転軸を中心に回転することで第２開口部を開閉するものであり、前記メモリカードケースカバーは、開くときに前記摩擦部材が前記予備のメモリカードと当接し、回動にあわせて前記予備のメモリカードを摺動させるとともに前記第２開口部より突出させるように取り付けられていることを特徴とする電子機器。
【請求項２】
ケースと、
前記ケース内部に備えられ電力を供給するためのバッテリーと、
前記ケースの内部に備えられた基板に実装され記録媒体であるメモリカードを着脱可能に装着するメモリカードスロットと、
前記ケースに形成され前記メモリカードスロットに前記メモリカードを着脱するときに該メモリカードが挿通される第１開口部と、
前記ケースに回動可能に取り付けられ前記第１開口部を開閉する平板状のメモリカードスロットカバーとを有し、データを前記メモリカードに記録する又は前記メモリカードより読み出す電子機器であって、
前記ケースの内部に配置され内部に予備のメモリカードを格納し、前記基板及び前記バッテリーが備えられた空間と隔離するための隔離壁部を有するメモリカードケース部と、
前記ケースに形成され前記メモリカードケース部に格納される又は前記メモリカードケース部より排出される前記予備のメモリカードが挿通される第２開口部と、
前記ケースに取り付けられ、前記第２開口部を開閉可能に覆うメモリカードケースカバーとを有していることを特徴とする電子機器。
【請求項３】
前記メモリカードケースカバーは前記ケースの角部に配置されるものであり、長尺の矩形状に形成された第１平板部と、前記第１平板部の一方の長辺と連結し前記第２開口部を開閉させる第２平板部と、前記第１平板部に中心軸が前記第１平板部の長手方向と平行になるように備えられた回転軸を有しており、
前記回転軸を中心に回動することで前記第２開口部を開閉することを特徴とする請求項２に記載の電子機器。
【請求項４】
前記メモリカードケースカバーは前記予備のメモリカードを複数個格納することができ、前記複数の予備のメモリカードが互いに接触するのを防止する仕切り部材を備えていることを特徴とする請求項２又は請求項３に記載の電子機器。
【請求項５】
前記メモリカードケースカバーは前記第１平板部の前記他方の長辺に摩擦部材が取り付けられており、前記メモリカードケースカバーが開くときに前記摩擦部材が前記予備のメモリカードと当接するとともに該予備のメモリカードを摺動させ前記第２開口部より突出させることを特徴とする請求項２又は請求項３に記載の電子機器。
【発明の詳細な説明】
【技術分野】
【０００１】
本発明は、記録媒体としてメモリカード等の可搬性を有するメモリ装置を用いる電子機器に関するものであり、より詳しくは、複数個のメモリ装置を格納しておく格納部を備えた電子機器に関するものである。
【背景技術】
【０００２】
生成されたデータを本体に装着された交換可能なメモリカードに記録する電子機器が多く利用されている。近年、前記データ単体のデータサイズは大きくなる傾向にある。ところが、前記メモリカードの容量には限度があり、前記メモリカード１枚に記録可能な前記データの個数は少なくなってきている。
【０００３】
そこで、ユーザは前記メモリカードを複数個携帯し、前記電子機器に挿入されたメモリカードにデータを記録し、前記メモリカードの空き容量がなくなると前記メモリカードを交換してデータを記録していた。しかしながら、前記メモリカードは小型のものがほとんどであり、かばん等の中に入っていると見つけるのに時間がかかったり、紛失してしまったりしやすい。
【０００４】
そこで最近では、複数のメモリカードを装着することができるよう、複数のメモリカードスロットを備えた電子機器（撮像装置、電子カメラ、デジタルカメラ等）が登場している（特開２００５−３４８４７７号公報、特開２０００−１３１７４５号公報、特開２００５−２２９４２８号公報、特開２００１−１７７７４５号公報、特開２００１−１６９２２５号公報等参照）。
【０００５】
上述した複数のメモリカードスロットを備えた電子機器は、予め複数のメモリカードスロットそれぞれにメモリカードを装着するものである。前記電子機器では前記複数のメモリカードに自動で又はユーザの選択によってデータを空き容量のあるメモリカードに記録するものである。前記電子機器はメモリカードを複数装着することで、予備のメモリカードを探すのに時間がかかったり、紛失してしまったりするのを抑制することができる。
【０００６】
【特許文献１】特開２００５−３４８４７７号公報
【特許文献２】特開２０００−１３１７４５号公報
【特許文献３】特開２００５−２２９４２８号公報
【特許文献４】特開２００１−１７７７４５号公報
【特許文献５】特開２００１−１６９２２５号公報
【発明の開示】
【発明が解決しようとする課題】
【０００７】
しかしながら、上記のように複数のメモリカードスロットを備えた電子機器では、該メモリカードスロットを構成する部材が増えるため、構造（構成）が複雑になる。また、前記メモリカードスロットを配置するために電子機器が大きくなる。
【０００８】
また、前記電子機器に不具合が発生した場合、前記複数のメモリカードスロットに過剰な電流又は電圧が付与され、前記複数のメモリカードスロットを破損してしまうことがありえる。このとき、データを記録するのに用いられているメモリカードに加えて、データが記録されて追記できないメモリカードも破損させてしまい、多くのデータが取り出せなくなる場合もある。
【０００９】
また、前記複数のメモリカードスロットを備えた電子機器では、複数のメモリカードスロット全てに電力が供給されている。つまり、記録が行われないメモリカードが挿入されたメモリカードスロットにも電力が供給されるので無駄な電力が消費され、前記電子機器の連続使用時間が短くなる。
【００１０】
そこで本発明は、簡単な構成を有し、低コスト化及び小型化を図りつつ、安全且つ確実に予備のメモリカードを携行することができる電子機器を提供することを目的とする。
【００１１】
また本発明は、複数個のメモリカードを携行することができ、故障等の不具合が発生した場合であっても、全てのメモリカードが破損するのを防ぐことができる電子機器を提供することを目的とする。
【００１２】
さらに本発明は、複数個のメモリカードを携行することができるとともに、無駄な電力消費を抑え、省エネルギ化することができ、バッテリーを交換したり充電したりすることなく長時間連続使用可能な電子機器を提供することを目的とする。
【課題を解決するための手段】
【００１３】
上記目的を達成するために本発明は、ケースと、前記ケース内部に備えられ電力を供給するためのバッテリーと、前記ケースの内部に備えられた基板に実装され記録媒体であるメモリカードを着脱可能に装着するメモリカードスロットと、前記ケースに形成され前記メモリカードスロットに前記メモリカードを着脱するときに該メモリカードが挿通される第１開口部と、前記ケースに回動可能に取り付けられ前記第１開口部を開閉する平板状のメモリカードスロットカバーとを有し、データを前記メモリカードに記録する又は前記メモリカードより読み出す電子機器であって、前記ケースの内部に予備のメモリカードを格納し、前記基板及び前記バッテリーが備えられた空間と隔離するための隔離壁部を有するメモリカードケース部と、前記ケースに形成され前記メモリカードケース部に格納される又は前記メモリカードケース部より排出される前記予備のメモリカードが挿通される第２開口部と、前記ケースに取り付けられ、前記第２開口部を開閉可能に覆うメモリカードケースカバーとを有していることを特徴とする。
【００１４】
この構成によると前記メモリカードケース部は前記バッテリーや基板に実装されている電子部品からの電流や電圧が付与しないように形成されているので、前記予備メモリカードを安全に運搬することが可能である。
【００１５】
この構成によると前記予備のメモリカードを前記電子機器と同時に持ち運ぶのでメモリカードを紛失するのを防ぐことができる。ユーザは前記予備のメモリカードを短時間で準備することができるので、前記メモリカードスロットに装着されている前記メモリカードの空き容量がなくなると、該メモリカードスロットに装着されているメモリカードと、前記メモリカードケース部に格納されている予備のメモリカードとを迅速且つ円滑に交換することが可能である。これにより、前記メモリカードスロットに装着されているメモリカードの容量がなくなったことで、重要なデータを記録できない状態になるのを抑制することができる。
【００１６】
また、この構成によると前記第２開口部を前記メモリカードケースカバーで閉じることができるので、電子機器の外部より、塵、埃等の異物が前記メモリカードケース部に進入しにくくしている。このことにより、前記予備のメモリカードに前記異物が付着しにくく、異物の付着による読み取り不良や、記録されたデータの破損等の不具合が発生を抑えることができる。
【００１７】
上記構成において前記メモリカードケースカバーは前記ケースの角部に配置されるものであり、長尺の矩形状に形成された第１平板部と、前記第１平板部の一方の長辺と連結し前記第２開口部を開閉させる第２平板部と、前記第１平板部に中心軸が前記第１平板部の長手方向と平行になるように備えられた回転軸を有しており、前記回転軸を中心に回動することで前記第２開口部を開閉するようにしてもよい。
【００１８】
この構成によると、前記メモリカードケースカバーが角部を形成するように（断面Ｌ字状）に形成されているので、ユーザが該メモリカードケースカバーを開けやすい。また、前記メモリカードケースカバーは閉じた状態を保持するためのロック部材を備えていてもよい。
【００１９】
さらに上記構成において前記メモリカードケースカバーは前記予備のメモリカードを複数個格納することができ、前記複数の予備のメモリカードが互いに接触するのを防止する仕切り部材を備えていてもよい。
【００２０】
この構成によると、前記予備のメモリカードの端子同士が接触し、端子が削れたり、外れたり、データが消去されたりする不具合が発生するのを抑制することができる。
【００２１】
上記構成において、前記メモリカードケースカバーは前記第１平板部の前記他方の長辺に摩擦部材が取り付けられており、前記メモリカードケースカバーが開くときに前記摩擦部材が前記予備のメモリカードと当接するとともに該予備のメモリカードを摺動させ前記第２開口部より突出させるものであってもよい。
【００２２】
この構成によると、前記メモリカードケースカバーを開けることで、前記予備のメモリカードが前記第２開口部より突出するので、前記予備のメモリカードを取り出しやすい。また、前記メモリカードケースカバーを最も開いた状態でも、前記摩擦部材が前記予備のメモリカードと当接しているので、該予備のメモリカードが前記開口部より不意に脱落するのを抑制することができる。これによると、前記予備のメモリカードを取り出すときに脱落してしまい、破損させたり、紛失させたり等の不具合の発生を抑制することができる。
【００２３】
上記目的を達成するために本発明は次の構成の電子機器を提供することができる。すなわち、ケースと、前記ケース内部に備えられ電力を供給するためのバッテリーと、前記ケースの内部に備えられた基板に実装され記録媒体であるメモリカードを着脱可能に装着するメモリカードスロットと、前記ケースに形成され前記メモリカードスロットに前記メモリカードを着脱するときに該メモリカードが挿通される第１開口部と、前記ケースに回動可能に取り付けられ前記第１開口部を開閉する平板状のメモリカードスロットカバーとを有し、データを前記メモリカードに記録する又は前記メモリカードより読み出す電子機器であって、前記ケースの内部に複数個の予備のメモリカードを格納するメモリカードケース部と、前記ケースに形成され前記メモリカードケース部に格納される又は前記メモリカードケース部より排出される前記予備のメモリカードが挿通される第２開口部と、前記ケースの角部に取り付けられ、前記第２開口部を開閉可能に覆うメモリカードケースカバーとを有しており、前記メモリカードケース部は前記予備のメモリカードをその厚さ方向に重ねて格納するものであり、前記予備のメモリカードが摺動することで前記第２開口部を挿通することができる第１領域と、前記第１領域と連続して形成され前記予備のメモリカードが厚み方向に積み重ねられて格納される第２領域と、前記第２領域に配置され前記予備のメモリカードを前記第１領域に向けて押す弾性部材とを有しており、前記メモリカードケースカバーは長尺の矩形状に形成された第１平板部と、前記第１平板部の一方の長辺と連結し前記第２開口部を開閉させる第２平板部と、前記第１平板部の他方の長辺に備えられた摩擦部材と、中心軸が前記第１平板部の長手方向と平行になるように前記第１平板部の他方の長辺の近傍に備えられた回転軸とを有しており、前記メモリカードケースカバーは前記回転軸を中心に回転することで第２開口部を開閉するものであり、前記メモリカードケースカバーは、開くときに前記摩擦部材が前記予備のメモリカードと当接し、回動にあわせて前記予備のメモリカードを摺動させるとともに前記第２開口部より突出させるように取り付けられている電子機器。
【発明の効果】
【００２４】
本発明によると、簡単な構成を有し、低コスト化及び小型化を図りつつ、安全且つ確実に予備のメモリカードを携行することができる電子機器を提供することができる。
【００２５】
また本発明によると、複数個のメモリカードを携行することができ、故障等の不具合が発生した場合であっても、全てのメモリカードが破損するのを防ぐことができる電子機器を提供することができる。
【００２６】
さらに本発明によると、複数個のメモリカードを携行することができるとともに、無駄な電力消費を抑え、省エネルギ化することができ、バッテリーを交換したり充電したりすることなく長時間連続使用可能な電子機器を提供することができる。
【発明を実施するための最良の形態】
【００２７】
以下に本発明の実施形態を図面を参照して説明する。図１（Ａ）に本発明にかかる電子機器の一例の正面図を、図１（Ｂ）に図１（Ａ）に示す電子機器の左側面図を、図１（Ｃ）に図１（Ａ）に示す電子機器の底面図を示す。図１（Ａ）、図１（Ｂ）、図１（Ｃ）に示す電子機器は、それには限定されないがここでは、メモリカード４にデータを格納するデジタルオーディオプレーヤＡである。デジタルオーディオプレーヤＡは縦長の直方体形状のケース１を有している。ケース１の前面には表示部１１と、表示部１１の下に配置され、デジタルオーディオプレーヤＡを操作するための操作部１２とを備えている。
【００２８】
また、ケース１の上面には図示を省略したリモートコントローラ及びヘッドホーンのプラグを挿入するジャックを備えている。図１（Ｃ）に示すように底面にはデータケーブルジャック１３と、バッテリーカバー１４とを有している。また、図１（Ｂ）に示すように側面にはメモリカードスロットカバー５１、メモリカードケースカバー７とを有している。
【００２９】
表示部１１はそれには限定されないがここでは、液晶パネルを用いたものでありデジタルオーディオプレーヤＡの動作状態、現在再生されている音声データの詳細情報、音声データの出し入れの状態等を可視化して表示するものである。操作部１２は少なくとも音声データの再生ボタン１２１、停止ボタン１２２、早送りボタン１２３及び巻き戻しボタン１２４とを有している。再生ボタン１２１、停止ボタン１２２、早送りボタン１２３及び巻き戻しボタン１２４は十字状に配置されるものであり、表示部１１に表示されるカーソル（不図示）を上下左右に移動させるためにも利用されるものである。
【００３０】
図２（Ａ）に図１（Ｂ）に示すデジタルオーディオプレーヤのＸ−Ｘ断面図を、図２（Ｂ）に図２（Ａ）に示すデジタルオーディオプレーヤのカバーを開いた状態のＸ−Ｘ断面図を示す。図２に示すようにデジタルオーディオプレーヤＡは、ケース１内部に配置された基板２と、同じくケース１内部に配置されたバッテリー３と、データが記録される又は読み出されるメモリカード４が装着されるメモリカードスロット５と、メモリカードスロット５をカバーするメモリカードスロットカバー５１と、予備メモリカード４１を格納するためのメモリカードケース部６と、メモリカードケース部６をカバーするメモリカードケースカバー７とを有している。
【００３１】
基板２は、デジタルオーディオプレーヤＡの内部に配置された電子部品が実装されるものであり、各電子部品に電力を供給したり、信号のやり取りを行ったりするものである。バッテリー３は図１に示すバッテリーカバー１４より出し入れ可能なものである。バッテリーカバー１４を開いてバッテリー３を挿入し、バッテリーカバー１４を閉じることでバッテリー３が外部に飛び出すのを防ぐことができる。
【００３２】
メモリカードスロット５は基板２に実装されている。メモリカードスロット５の内部にはメモリカード４の表面に配置されている金属製の端子（図示省略）と接触する端子部（図示省略）が備えられており、メモリカード４の金属製の端子と端子部とが当接し、メモリカード４にデータを記録したり、メモリカード４に記録されているデータを読み出したりする。メモリカード４としては、ＳＤメモリカード、ＣＦメモリカード等の可搬性を有し、データを電気的に記録できる不揮発性のメモリを含むものを広く採用することができる。
【００３３】
メモリカードスロット５はメモリカード４が挿入されると、メモリカード４が抜けないように保持し、メモリカード４が保持されている状態でメモリカード４が挿入方向に押されると、メモリカード４を排出方向に押し出す機構を有している。
【００３４】
図２（Ｂ）に示すようにケース１にはメモリカード４がメモリカードスロット５に挿入されるとき又はメモリカードスロット５より排出されるときに挿通される開口部５３が形成されている。メモリカードスロットカバー５１は回転軸５２を有しており、回転軸５２はケース１に回動可能に支持されている。メモリカードスロットカバー５１は回転軸５２を中心にケース１の外側に回動し開口部５３を開閉する。メモリスロットカバー５１の外面は、メモリスロットカバー５１が閉じている状態で、ケース１の外面と略同一平面を形成するように配置されている。
【００３５】
メモリスロットカバー５は操作部１２又はその他の操作入力部からの操作指示の入力に応じて、自動的に開閉するものであってもよい。このとき、メモリカードスロットカバー５を内部に回動するとともに、常に閉じる方向に付勢されており、メモリカード４を挿入するときにメモリカード４でメモリカードスロット５を押し、メモリカード４を排出するときは自動的に開くものであってもよい。
【００３６】
図２（Ａ）、図２（Ｂ）に示すようにメモリカードケース部６は、バッテリー３及び基板２に実装されている電子部品が配置されている内部空間１０とは隔絶された空間を有している。メモリカードケース部６は内部空間１０と隔離するための隔離壁部６１と、外壁部６２とに囲まれた空間である。少なくとも隔離壁部６１は樹脂等の絶縁素材で形成されている。また、メモリカードケース部６は予備メモリカード４１を出し入れするための開口部６３を備えている。
【００３７】
メモリカードケース部６は断面Ｌ字状のメモリカードケースカバー７にて覆われている。メモリカードケースカバー７は長尺矩形状の第１平板部７１と、第１平板部７１の一方の長辺と一体に連結し第１平板部７１と所定の角度（ここでは直角）をなす第２平板部７２と、第１平板部７１の他方の長辺の近傍に配置され、第１平板部７１の長手方向に伸びる回転軸７３とを有している。回転軸７３は第１平板部７１と一体に形成されていてもよく、第１平板部７１と別体で形成され、第１平板部７１に係合されるものであってもよい。
【００３８】
メモリカードケースカバー７はケース１の角部に配置される部材である。メモリカードケースカバー７は閉じている状態で、第１平板部７１及び第２平板部７２の外面がケース１の外面と略同一平面を形成するように配置されている。メモリカードケースカバー７の第１平板部７１がメモリカードケース部６に格納されている予備メモリカード４１と平行になるように配置されており、第２平板部７２がメモリカードケース部６の開口部６３を覆うように配置されている。
【００３９】
メモリカードケースカバー７は回転軸７３を中心に外向きに回動することで、第１平板部７１及び第２平板部７２が移動し、開口部６３が開いた状態になる。この状態で、予備メモリカード４１を挿入／排出することが可能である。
【００４０】
また、メモリカードケースカバー７は図２（Ａ）、図２（Ｂ）に示すような第１平板部７１と第２平板部７２とをつなぎ合わせた断面Ｌ字状の部材とするものであり、第１平板部７１の短辺長さが十分に長くなるように形成されている。このように形成されていることで、メモリカードケース部６に格納されている予備メモリカード４１が振動や衝撃で移動して、第２平板部７２を内部から押しても、メモリカードケースカバー７は回動することはない。これにより、メモリカードケースカバー７が不意に開き、予備メモリカード４１のメモリカードケース部６からの脱落を低減することができる。
【００４１】
図３に示すように、電子機器Ａがメモリカードケース部６に２個の予備メモリカード４１を格納することができるものであってもよい。このとき、予備メモリカード４１同士が直接接触しないように仕切り部材６４が備えられていてもよい。このように仕切り部材６４が備えられているものの場合、予備メモリカード４１を端子同士が対面するように挿入してしまった場合であっても、端子同士が接触するのを防ぐことができ、不意にデータが消去されたり、端子が削れたりする不具合が発生するのを抑制することができる。図３に示すメモリカードケース部６は２枚の予備メモリカード４１を格納することができるものを示しているが、それに限定されるものではなく、さらに多数の予備メモリカード４１を格納することができるものであってもよい。
【００４２】
図４に本発明にかかるデジタルオーディオプレーヤの他の例のメモリカードケース部を拡大した断面図を示す。図４に示すデジタルオーディオプレーヤＢはメモリカードケース部８及びメモリカードケースカバー９が異なる以外図２、図３に示すデジタルオーディオプレーヤＡと同じ構成であり、実質上同じ部分には同一の符号が付してある。
【００４３】
図４に示すようにメモリカードケース部８は内部空間１０と隔離するための隔離壁部８１と、ケース１の外周面と同じ外周面を形成するように配置された外壁部８２とを有している。メモリカードケース部８はバッテリー３及び基板２に実装されている電子部品が配置されている内部空間１０とは隔絶された空間を有している。隔離壁部８１はそれには限定されないが絶縁素材で形成されている。メモリカードケース部８は予備メモリカード４１を出し入れするための開口部８３を備えている。
【００４４】
図４に示すようにメモリカードケースカバー９は、断面Ｌ字状の部材である。メモリカードケースカバー９は、長尺矩形状の第１平板部９１と、第１平板部９１の一方の長辺と所定の角度（ここでは直角）をなすように連結された第２平板部９２と、第１平板部９１の他方の長辺部に、第１平板部９１の長手方向に伸びるように備えられた回転軸９３と、第１平板部９１の回転軸９３を挟んで反対側に取り付けられた摩擦部材９４とを有している。メモリカードケースカバー９は手動で回転軸９３を中心に外部に向けて開閉するものである。摩擦部材９４はそれには限定されないがここでは、ゴムで形成されている。メモリカードケースカバー９はケース１の角部に配置されるものであり、閉じている状態で、第１平板部９１及び第２平板部９２の外面がケース１の外面と略同一平面を形成するように配置されている。閉じている状態では、第２平板部９２によって、開口部８３はカバーされている。
【００４５】
第２平板部９２の予備メモリカード４１が当接する場所と第１平板部９１までの長さに比べて、第１平板部９１の長さは十分に長くなるように形成されている。ケース１の振動や衝撃によって予備メモリカード４１が第２平板部９２を押すように移動しても、メモリカードケースカバー９は回動しにくく、メモリカードケースカバー９が予備メモリカード４１に押されて開き、予備メモリカード４１が開口部８３から脱落するのを抑制することができる。
【００４６】
図５（Ａ）〜（Ｃ）に図４に示すメモリカードケース部に格納されている予備メモリカードを取り出すときの手順を示す。図５（Ａ）に示すように、メモリカードケース部８の内部に予備メモリカード４１が挿入されている。このとき、メモリカードケースカバー９は閉じられている。この状態でメモリカードケースカバー９を開く（回転軸９３を中心に回転させる）と、開く途中で摩擦部材９４が予備メモリカード４１の側面に当接する（図５（Ｂ）参照）。そして、さらにメモリカードケースカバー９を開くと、摩擦部材９４の摩擦力を受け予備メモリカード４１の一部が開口部８３から突出する（図５（Ｃ）参照）。このとき、予備メモリカード４１と摩擦部材９４はわずかに当接している。この状態で、予備メモリカード４１の開口部８３より突出した部分を指等でつまんで引き抜くことで、予備メモリカード４１を取り出すことが可能である。
【００４７】
以上に示したように、メモリカードケース部８を内部空間１０と隔離することで、メモリカードケース部８に格納されている予備メモリカード４１に不意に電流又は電圧が付加するのを防ぎ、予備メモリカード４１の故障が発生するのを予防することができる。また、メモリカードケースカバー９を開いた状態であっても、メモリカードケースカバー９の摩擦部材９４が予備メモリカード４１と当接しており、予備メモリカード４１が開口部部８３から不意に脱落するのを防ぐことができる。これにより、メモリカードケースカバー９を開いたときに予備メモリカード４１を落下させて紛失したり、破損させたりするのを抑制することができる。
【００４８】
メモリカードケース部８に予備メモリカード４１が格納されているので、短時間で、簡単に且つ安全にメモリカードケース部８に格納されている予備メモリカード４１とメモリカードスロット５に装着されているメモリカード４とを入れ替えることができる。また、メモリカードスロット５より取り出したメモリカードを予備メモリカードとしてメモリカードケース部８に格納することができるので、メモリカードの紛失を抑制することができる。
【００４９】
図６に本発明にかかるデジタルオーディオプレーヤに用いられるメモリカードケース部の他の例の断面図を、図７（Ａ）〜（Ｃ）に図６に示すメモリカードケース部に格納されている予備メモリカードを取り出すときの手順を示す。図６に示すデジタルオーディオプレーヤＣのメモリカードケース部８ｃは複数（ここでは、４個）の予備メモリカード４１を格納することができるものである。また、それ以外の場所は図２又は図３に示すデジタルオーディオプレーヤＡと同じ構成を有しており、実質上同じ部分には同一の符号が付してある。
【００５０】
図６に示すようにメモリカードケース部８ｃは、開口部８３ｃと連接された第１領域８４ｃと、予備メモリカード４１がその厚さ方向に格納する第２領域８５ｃと、第２領域８５ｃに隔離壁部８１ｃと当接するように配置された弾性部材８６ｃ（ここでは、コイルスプリング８６ｃ）と、コイルスプリング８６ｃと当接するメモリカード押圧部８７ｃとを有している。メモリカード押圧部８７ｃは板状の部材である。
【００５１】
図７（Ａ）に示すように、メモリカード押圧部８７ｃは弾性部材８６ｃの弾性力に押されて、第２領域８５ｃに格納されている予備メモリカード４１を第１領域８４ｃ方向に押圧している。このときに、メモリカードケースカバー９を回転軸９３を中心に回動させると、所定量回転した時点で、メモリカードケースカバー９の摩擦部材９４が第１領域８４ｃに配置されている予備メモリカード４１の側面と当接する（図７（Ｂ）参照）。さらに、メモリカードケースカバー９を回動させると、摩擦部材９４の移動に伴って、第１領域８４ｃに配置されている予備メモリカード４１は摺動され、開口部８３ｃより突出する（図７（Ｃ）参照）。
【００５２】
メモリカードケースカバー９の回転軸９３は、メモリカードケースカバー９が完全に開いている状態のときに、摩擦部材９４でメモリカードケース部８ｃの開口部８３ｃを塞がないようにケース１に取り付けられている。このように回転軸８３ｃをケース１に取り付けられていることで予備メモリカード４１をメモリカードケース部８ｃに簡単に格納することができる。
【００５３】
ここで、コイルスプリング８６ｃの自然長は、予備メモリカード４１が格納されていないとき、メモリカード押圧部８５ｃを予備メモリカード４１が挿入されるのに邪魔にならない、すなわち、メモリカードケース部８ｃの開口部８３ｃより隔離壁部８１ｃまで移動する長さである。
【００５４】
このようなメモリカードケース部８ｃを形成していることで、予備メモリカード４１を複数個簡単に格納することができるとともに、予備メモリカード４１を確実に取り出すことが可能である。
【００５５】
上記各実施例では、メモリカードケースカバー７、９として、２枚の平板状の部材を付き合わせた形状のものが挙げられているが、それに限定されるものではなく、予備メモリカード４１が外部に飛び出すのを防止することができる形状及び開閉構造のものを広く採用することができる。
【００５６】
上記各実施例では、電子機器としてデジタルオーディオプレーヤを挙げているが、それに限定されるものではなく、携帯ゲーム機、デジタルビデオカメラ等の記録媒体として、着脱可能なメモリカードを利用する電子機器を広く採用することができる。
【００５７】
以上、発明の実施形態を具体的に説明したが、本発明は上記実施形態に限定するものではなく、その要旨を逸脱しない範囲で種々変更可能である。
【産業上の利用可能性】
【００５８】
本発明は、デジタルオーディオプレーヤ、ボイスレコーダ、デジタルビデオカメラ、ゲーム機等の記録媒体に着脱可能なメモリカードを用いる電子機器に対して適用することが可能である。
【図面の簡単な説明】
【００５９】
【図１】図（Ａ）は本発明にかかる電子機器の一例の正面図であり、図（Ｂ）は図（Ａ）に示す電子機器の左側面図であり、図（Ｃ）は図（Ａ）に示す電子機器の底面図である。
【図２】図（Ａ）は図１（Ｂ）に示すデジタルオーディオプレーヤのＸ−Ｘ断面図であり、図（Ｂ）は図（Ａ）に示すデジタルオーディオプレーヤのカバーを開いた状態の断面図である。
【図３】図２に示すデジタルオーディオプレーヤの他の例の断面図である。
【図４】本発明にかかるデジタルオーディオプレーヤの他の例のメモリカードケース部を拡大した断面図である。
【図５】図（Ａ）〜図（Ｃ）は図４に示すメモリカードケース部に格納されている予備メモリカードを取り出すときの手順を示す拡大断面図である。
【図６】本発明にかかるデジタルオーディオプレーヤのさらに他の例のメモリカードケース部を拡大した断面図である。
【図７】図（Ａ）〜図（Ｃ）は図６に示すメモリカードケース部に格納されている予備メモリカードを取り出すときの手順を示す断面図である。
【符号の説明】
【００６０】
Ａ  デジタルオーディオプレーヤ
１  ケース
１１  表示部
１２  操作部
１２１  再生ボタン
１２２  停止ボタン
１２３  早送りボタン
１２４  巻き戻しボタン
１３  データケーブルジャック
１４  バッテリーカバー
２  基板
３  バッテリー
４  メモリカード
４１  予備メモリカード
５  メモリカードスロット
５１  メモリカードスロットカバー
５２  回転軸
６  メモリカードケース部
６１  隔離壁部
６２  外壁部
６３  開口部
６４  仕切り部材
７  メモリカードケースカバー
７１  第１平板部
７２  第２平板部
７３  回転軸
８  メモリカードケース部
８１  隔離壁部
８２  外壁部
８３  開口部
９  メモリカードケースカバー
９１  第１平板部
９２  第２平板部
９３  回転軸
【図１】
2007323287.tif 000003
【図２】
2007323287.tif 000004
【図３】
2007323287.tif 000005
【図４】
2007323287.tif 000006
【図５】
2007323287.tif 000007
【図６】
2007323287.tif 000008
【図７】
2007323287.tif 000009